【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
印刷ヘッドを主走査方向へ移動させながら当該主走査方向に一定幅で延びる記録紙の帯状領域に印刷を行う印刷動作と、前記記録紙を前記帯状領域の幅寸法よりも短い紙送り量だけ副走査方向に紙送りする紙送り動作とを繰り返すようにプリンターを駆動制御して印刷データの印刷を行わせるプリンタードライバーにおいて、
前記印刷データを表示するための印刷イメージデータを生成する印刷イメージデータ生成部と、
前記帯状領域が互いに重なる重なり部を表示するための重なり部イメージデータを生成する重なり部イメージデータ生成部と、
前記印刷イメージデータおよび重なり部イメージデータを合成して表示するイメージ表示部と、を備えていることを特徴とするプリンタードライバー。
【請求項２】
請求項１において、
印刷解像度の異なる複数の印刷設定から操作者に一の印刷設定を設定させる設定部と、
前記重なり部イメージデータを生成するためのパラメーターを各印刷設定に対応付けた形態で記憶保持するパラメーター記憶保持部と、を有し、
前記重なり部イメージデータ生成部は、選択された前記印刷設定に対応付けられた前記パラメーターに基づいて前記重なり部イメージデータを生成することを特徴とするプリンタードライバー。
【請求項３】
請求項１または２において、
前記重なり部イメージデータは、前記重なり部の境界線を描くものであることを特徴とするプリンタードライバー。
【請求項４】
請求項１または２において、
前記重なり部イメージデータは、前記重なり部を塗り潰すものであることを特徴とするプリンタードライバー。
【請求項５】
請求項１ないし４のうちのいずれかの項において、
前記重なり部のイメージを表示するか否かを操作者に選択させる表示選択部を有し、
前記イメージ表示部は、前記重なり部のイメージを表示しないことが選択されると、前記印刷イメージデータを表示することを特徴とするプリンタードライバー。
【請求項６】
請求項１ないし５のうちのいずれかの項において、
前記重なり部を前記記録紙に印刷するための重なり部印刷データを生成する重なり部印刷データ生成部と、
前記印刷データと前記境界線印刷データとを合成して印刷を行わせる試し印刷部とを備えていることを特徴とするプリンタードライバー。
【請求項７】
印刷ヘッドを主走査方向へ移動させながら当該主走査方向に延びる記録紙の一定幅の帯状領域に印刷を行う印刷動作と、前記記録紙を前記一定幅の幅寸法よりも短い紙送り量だけ副走査方向に紙送りする紙送り動作とを繰り返して印刷データを印刷する際に、前記印刷データの印刷イメージを表示する印刷プレビュー方法において、
前記印刷イメージを表示するための印刷イメージデータを生成し、
前記帯状領域が互いに重なる重なり部を表示するための重なり部イメージデータを生成し、
前記印刷イメージデータおよび前記重なり部イメージデータを合成して表示することを特徴とする印刷プレビュー方法。
【請求項８】
印刷ヘッドを主走査方向へ移動させながら当該主走査方向に延びる記録紙の一定幅の帯状領域に印刷を行う印刷動作と、前記記録紙を前記一定幅の幅寸法よりも短い紙送り量だけ副走査方向に紙送りする紙送り動作とを繰り返して印刷データを印刷する前に、前記印刷データを前記記録紙に試し印刷する試し印刷方法において、
前記帯状領域が互いに重なる重なり部を前記記録紙に印刷するための重なり部印刷データを生成し、
前記印刷データと前記重なり部印刷データとを合成して印刷することを特徴とする試し印刷方法。
【手続補正２】
【補正対象書類名】明細書
【補正対象項目名】０００９
【補正方法】変更
【補正の内容】
【０００９】
上記の課題を解決するために、本発明は、印刷ヘッドを主走査方向へ移動させながら当該主走査方向に一定幅で延びる記録紙の帯状領域に印刷を行う印刷動作と、前記記録紙を前記帯状領域の幅寸法よりも短い紙送り量だけ副走査方向に紙送りする紙送り動作とを繰り返すようにプリンターを駆動制御して印刷データの印刷を行わせるプリンタードライバーにおいて、前記印刷データを表示するための印刷イメージデータを生成する印刷イメージデータ生成部と、前記帯状領域が互いに重なる重なり部を表示するための重なり部イメージデータを生成する重なり部イメージデータ生成部と、前記印刷イメージデータおよび重なり部イメージデータを合成して表示するイメージ表示部と、を備えていることを特徴とする。
【手続補正３】
【補正対象書類名】明細書
【補正対象項目名】００１１
【補正方法】変更
【補正の内容】
【００１１】
本発明において、印刷解像度の異なる複数の印刷設定から操作者に一の印刷設定を設定させる設定部と、前記重なり部イメージデータを生成するためのパラメーターを各印刷設定に対応付けた形態で記憶保持するパラメーター記憶保持部と、を有し、前記重なり部イメージデータ生成部は、選択された前記印刷設定に対応付けられた前記パラメーターに基づいて前記重なり部イメージデータを生成することが望ましい。このようにすれば、印刷データを印刷するための印刷設定の設定が変更されたときに、表示されている印刷イメージ上に印刷設定に対応した各重なり部を表示できる。また、パラメーターを用いて前記重なり部イメージデータを生成すれば、その生成が容易であり、重なり部イメージデータを迅速に生成できる。
【手続補正４】
【補正対象書類名】明細書
【補正対象項目名】００１４
【補正方法】変更
【補正の内容】
【００１４】
ここで、高い印刷品質が求められる２次元シンボルなどが印刷データに含まれていない場合には、印刷イメージ上で各重なり部の位置を確認する必要がない。かかる場合に、各重なり部の表示を行わないようにするためには、前記重なり部のイメージを表示するか否かを操作者に選択させる表示選択部を有し、前記イメージ表示部は、前記重なり部のイメージを表示しないことが選択されると、前記印刷イメージデータを表示することが望ましい。
【手続補正５】
【補正対象書類名】明細書
【補正対象項目名】００１５
【補正方法】変更
【補正の内容】
【００１５】
本発明において、前記重なり部を前記記録紙に印刷するための重なり部印刷データを生成する重なり部印刷データ生成部と、前記印刷データと前記境界線印刷データとを合成して印刷を行わせる試し印刷部とを備えていることが望ましい。このようにすれば、試し印刷によって記録紙上における重なり部の位置を確認できる。
【手続補正６】
【補正対象書類名】明細書
【補正対象項目名】００１６
【補正方法】変更
【補正の内容】
【００１６】
次に、本発明は、印刷ヘッドを主走査方向へ移動させながら当該主走査方向に延びる記録紙の一定幅の帯状領域に印刷を行う印刷動作と、前記記録紙を前記一定幅の幅寸法よりも短い紙送り量だけ副走査方向に紙送りする紙送り動作とを繰り返して印刷データを印刷する際に、前記印刷データの印刷イメージを表示する印刷プレビュー方法において、前記印刷イメージを表示するための印刷イメージデータを生成し、前記帯状領域が互いに重なる重なり部を表示するための重なり部イメージデータを生成し、前記印刷イメージデータおよび前記重なり部イメージデータを合成して表示することを特徴とする。
【手続補正７】
【補正対象書類名】明細書
【補正対象項目名】００１８
【補正方法】変更
【補正の内容】
【００１８】
また、本発明は、印刷ヘッドを主走査方向へ移動させながら当該主走査方向に延びる記録紙の一定幅の帯状領域に印刷を行う印刷動作と、前記記録紙を前記一定幅の幅寸法よりも短い紙送り量だけ副走査方向に紙送りする紙送り動作とを繰り返して印刷データを印刷する前に、前記印刷データを前記記録紙に試し印刷する試し印刷方法において、前記帯状領域が互いに重なる重なり部を前記記録紙に印刷するための重なり部印刷データを生成し、前記印刷データと前記重なり部印刷データとを合成して印刷することを特徴とする。